(57)【要約】【課題】上下階を連通する連通空間が設けられた建物における上下階の温度差を、空調効率を低下させることなく緩和することができる空気調和システムを得ること。【解決手段】空気調和システム１００は、上下階を連通する連通空間が設けられた建物において、下階１１２に配置されて下階１１２に調和空気を吹き出す空気調和機と、上階１１１の床面と下階１１２の天面との間の階間１１７内に設置され、階間１１７内を通して上階１１１と下階１１２との間で空気を送風する送風機５と、を備える。【選択図】図１
2019158163.tif 000002
【特許請求の範囲】
【請求項１】
上下階を連通する連通空間が設けられた建物において、
下階に配置されて前記下階に調和空気を吹き出す空気調和機と、
上階の床面と前記下階の天面との間の階間内に設置され、前記階間内を通して前記上階と前記下階との間で空気を送風する送風機と、
を備えること、
を特徴とする空気調和システム。
【請求項２】
前記空気調和機の運転時に、前記送風機が前記上階の空気を前記下階に送風すること、
を特徴とする請求項１に記載の空気調和システム。
【請求項３】
前記下階に送風される前記上階の空気が、前記下階の在室者に直接当たらない場所に送風されること、
を特徴とする請求項２に記載の空気調和システム。
【請求項４】
前記下階に送風される前記上階の空気が、前記空気調和機における空気の吸込口に向けて送風されること、
を特徴とする請求項３に記載の空気調和システム。
【請求項５】
前記下階に送風される前記上階の空気が、前記空気調和機における空気の吹出口に向けて送風されること、
を特徴とする請求項３に記載の空気調和システム。
【請求項６】
前記下階に送風される前記上階の空気が、前記下階に設置された電気機器に向けて送風されること、
を特徴とする請求項３に記載の空気調和システム。
【請求項７】
前記下階に送風される前記上階の空気の風向を調節する風向調節部を備えること、
を特徴とする請求項３から６のいずれか１つに記載の空気調和システム。
【請求項８】
前記送風機と連通するとともに前記上階の床面において開口する第１通風口と、
前記第１通風口と前記送風機とを繋ぐ第１配管と、
前記送風機と連通するとともに前記下階の天面において開口する第２通風口と、
前記第２通風口と前記送風機とを繋ぐ第２配管と、
を備えること、
を特徴とする請求項１から７のいずれか１つに記載の空気調和システム。
【請求項９】
前記送風機と連通するとともに前記上階の床面において開口する第１通風口と、
前記送風機と連通するとともに前記下階の天面において開口する第２通風口と、
前記第２通風口と前記送風機とを繋ぐ第２配管と、
を備え、
前記送風機における前記上階の床面側の吸排気口が前記第１通風口に直接接続されていること、
を特徴とする請求項１から７のいずれか１つに記載の空気調和システム。
【請求項１０】
前記送風機と連通するとともに前記上階の床面において開口する第１通風口と、
前記第１通風口と前記送風機とを繋ぐ第１配管と、
前記送風機と連通するとともに前記下階の天面において開口する第２通風口と、
を備え、
前記送風機における前記下階の天面側の吸排気口が前記第２通風口に直接接続されていること、
を特徴とする請求項１から７のいずれか１つに記載の空気調和システム。
【請求項１１】
前記空気調和機の運転時に前記送風機に前記上階の空気を前記下階に送風させる連動運転を制御する連動運転制御部を有すること、
を特徴とする請求項１から１０のいずれか１つに記載の空気調和システム。
【請求項１２】
前記空気調和システムが、ホームエネルギーマネジメントシステムであり、
前記空気調和機と前記送風機とが、前記ホームエネルギーマネジメントシステムにおいて制御される宅内設備機器であり、
前記連動運転制御部が、前記ホームエネルギーマネジメントシステムの動作を制御するホームエネルギーマネジメントシステム制御部であること、
を特徴とする請求項１１に記載の空気調和システム。
【発明の詳細な説明】
【技術分野】
【０００１】
本発明は、空気調和機と送風機とを用いた空気調和システムに関する。
【背景技術】
【０００２】
空気調和機により冷暖房運転を行うと、暖かい空気は上部に溜まり、冷たい空気は下部に溜まる性質があるため、室内で冷たい空気と暖かい空気とが分離する状態となる。上下階を連通する連通空間が設けられた住宅において、上下階で空気調和がされている空間と空気調和がされていない空間があると、上下階の室内で温度差が生じてコールドドラフトの発生により快適性が低下する場合がある。
【０００３】
上下階の温度差を解消する解決策として、特許文献１には、上下階の階間内に設置された空気調和機から上階または下階の室内に向かって吹き出した空気を、上下階を連通する連通空間を通して下階または上階の室内に流すことにより、上下階の温度を均一にする空調構造が開示されている。
【先行技術文献】
【特許文献】
【０００４】
【特許文献１】特許第３９３９８４８号公報
【発明の概要】
【発明が解決しようとする課題】
【０００５】
しかしながら、特許文献１に開示される空調構造では、下階を冷暖房する場合には、上階を冷暖房する必要がない場合でも上階も冷暖房されるため、空気調和機における空気調和の負荷が増加して空調効率が低下する、という問題があった。
【０００６】
本発明は、上記に鑑みてなされたものであって、上下階を連通する連通空間が設けられた建物における上下階の温度差を、空調効率を低下させることなく緩和することができる空気調和システムを得ることを目的とする。
【課題を解決するための手段】
【０００７】
上述した課題を解決し、目的を達成するために、本発明にかかる空気調和システムは、上下階を連通する連通空間が設けられた建物において、下階に配置されて下階に調和空気を吹き出す空気調和機と、上階の床面と下階の天面との間の階間内に設置され、階間内を通して上階と下階との間で空気を送風する送風機と、を備える。
【発明の効果】
【０００８】
本発明によれば、上下階を連通する連通空間が設けられた建物における上下階の温度差を、空調効率を低下させることなく緩和することができる空気調和システムが得られる、という効果を奏する。
【図面の簡単な説明】
【０００９】
【図１】本発明の実施の形態１にかかる空気調和システムが住宅の建物に設置された状態を示す模式断面図
【図２】本発明の実施の形態１にかかる空気調和システムの構成を示す図
【図３】本発明の実施の形態１にかかる処理回路のハードウェア構成の一例を示す図
【図４】本発明の実施の形態１にかかる空気調和システムにおける空気調和機と送風機との連動運転の制御処理の流れを説明するフローチャート
【図５】本発明の実施の形態１にかかる空気調和システムにおいて送風機と上階床面給排気口とが一体化された構成を示す模式断面図
【図６】本発明の実施の形態１にかかる空気調和システムにおいて送風機と下階天面給排気口とが一体化された構成を示す模式断面図
【図７】本発明の実施の形態２にかかる空気調和システムが住宅の建物に設置された状態を示す模式断面図
【図８】本発明の実施の形態３にかかる空気調和システムが住宅の建物に設置された状態を示す模式断面図
【図９】本発明の実施の形態４にかかる空気調和システムが住宅の建物に設置された状態を示す模式断面図
【図１０】本発明の実施の形態４にかかる空気調和システムの構成を示す図
【図１１】本発明の実施の形態４にかかる空気調和システムにおける空気調和機と送風機との連動運転の制御処理の流れを説明するフローチャート
【発明を実施するための形態】
【００１０】
以下に、本発明の実施の形態にかかる空気調和システムを図面に基づいて詳細に説明する。なお、この実施の形態によりこの発明が限定されるものではない。
【００１１】
実施の形態１．
図１は、本発明の実施の形態１にかかる空気調和システム１００が住宅の建物に設置された状態を示す模式断面図である。図１中の白抜き矢印は、冬季の暖房運転時の空気の流れを示している。図２は、本発明の実施の形態１にかかる空気調和システム１００の構成を示す図である。本実施の形態１にかかる空気調和システム１００は、建物内の空気を冷房、暖房、送風または除湿して空気調和するシステムである。
【００１２】
本実施の形態１にかかる空気調和システム１００が設置されている住宅の建物は、上階１１１である２階と、下階１１２である１階と、上階１１１と下階１１２との間の行き来を可能とする階段１１３と、２層以上の階を鉛直方向に貫いて上下階に連通する連通空間である吹き抜け１１４と、を有する。本実施の形態１においては、吹き抜け１１４は、２階の床の一部分を開口し、上階１１１である２階と下階１１２である１階とを連通する連通空間である。また、階段１１３の上方の空間も、上階１１１と下階１１２とを連通する連通空間である。また、上階１１１の床面である上階床面１１５と、下階１１２の天面である下階天面１１６のとの間には、階間１１７が構成されている。
【００１３】
空気調和システム１００は、住宅の建物内を空気調和する空気調和機１と、リモートコントローラ４と、階間１１７に配置された送風機５と、を備える。また、空気調和機１は、下階１１２の壁面である下階壁面１１８に配置された室内機２および建物の外部に配置された室外機３を有する。室内機２は、上階１１１の空気および下階１１２の空気を室内機２に吸い込む吸込口である空気調和機吸込口２８と、空気調和された調和空気を室内機２から吹き出す吹出口である空気調和機吹出口２９と、を備えている。空気調和機１と、リモートコントローラ４と、送風機５とは、互いに情報の双方向通信が可能である。
【００１４】
また、空気調和システム１００は、送風機５と連通するとともに上階床面１１５において開口する第１通風口である上階床面給排気口９と、送風機５と連通するとともに下階天面１１６において開口する第２通風口である下階天面給排気口１０と、を有する。また、空気調和システム１００は、上階床面給排気口９と送風機５とを配管接続する第１配管である第１ダクト６と、下階天面給排気口１０と送風機５とを配管接続する第２配管である第２ダクト７と、を備える。第１ダクト６は、上階床面給排気口９と送風機５とを繋ぐ第１風路を構成する。第２ダクト７は、下階天面給排気口１０と送風機５とを繋ぐ第２風路を構成する。そして、このような構成により、下階天面１１６における任意の位置に下階天面給排気口１０を配置することが可能である。
【００１５】
空気調和機１は、基本的に一般的な空気調和機の機能を有し、室内に配置された室内機２と、屋外に配置された室外機３とを備える。室内機２と室外機３とは、互いに情報の双方向通信が可能な状態で接続されている。また、室内機２と室外機３とは、冷媒を循環させる冷媒回路により接続されている。空気調和機１は、図示しない外部電源により、動作するための電力が供給される。
【００１６】
室内機２は、基本的に一般的な空気調和機の室内機の機能を有し、室内機２が配置された下階１１２の室内の空気と冷媒回路中を流れる冷媒との熱交換を行う室内熱交換器２１と、室内熱交換器２１で熱交換された調和空気を室内機２から下階１１２の室内に送り出す送風ファン２２と、調和空気を室内機２から下階１１２の室内に送り出す方向を調整する風向調整部２３と、を備えている。また、室内機２は、下階１１２の室内温度を既定の周期で計測する室内温度センサ２４と、室内機２の運転状態の表示を行う表示部２５と、空気調和システム１００における各構成部との情報送受信を実施するための室内機通信部２６と、空気調和システム１００全体の動作を制御する空気調和機制御部２７と、を備えている。
【００１７】
空気調和機制御部２７は、空気調和システム１００全体の動作の制御の一部として、空気調和機１と送風機５との連動運転を制御する。すなわち、空気調和機制御部２７は、空気調和機１の動作の制御の他にも、空気調和機１の冷暖房運転時に、すなわち冷房運転時および暖房運転時に、空気調和機１の冷暖房運転に連動させて送風機５を運転させる連動運転を制御可能である。したがって、空気調和機制御部２７は、空気調和機１の冷暖房運転時に、空気調和機１の冷暖房運転に連動させて送風機５を運転させる空気調和機１と送風機５との連動運転を制御する連動運転制御部としての機能を有する。
【００１８】
なお、本実施の形態１においては、空気調和機制御部２７は室内機２の一部として内蔵する形となっているが、独立した筐体内に配置された構成であってもよい。また、空気調和機制御部２７は、室外機３に内蔵された構成であってもよい。
【００１９】
また、空気調和機制御部２７は、例えば、図３に示したハードウェア構成の処理回路として実現される。図３は、本発明の実施の形態１にかかる処理回路のハードウェア構成の一例を示す図である。空気調和機制御部２７が図３に示す処理回路により実現される場合、空気調和機制御部２７は、例えば、図３に示すメモリ１０２に記憶されたプログラムをプロセッサ１０１が実行することにより、実現される。また、複数のプロセッサおよび複数のメモリが連携して上記機能を実現してもよい。また、空気調和機制御部２７の機能のうちの一部を電子回路として実装し、他の部分をプロセッサ１０１およびメモリ１０２を用いて実現するようにしてもよい。
【００２０】
また、室内機通信部２６を、同様にメモリ１０２に記憶されたプログラムをプロセッサ１０１が実行することにより、実現されるように構成してもよい。また、室内機通信部２６を実現するためのプロセッサおよびメモリは、空気調和機制御部２７を実現するプロセッサおよびメモリと同一であってもよいし、別のプロセッサおよびメモリであってもよい。
【００２１】
本実施の形態１において、室内機２は壁掛け型とされている。なお、空気調和機１は、機器の種類により天井設置タイプの空気調和機であれば下階天面１１６に設置されてもよく、床設置タイプの空気調和機であれば下階１１２の床面である下階床面１１９に設置されてもよい。すなわち、室内機２の形態については特に制約はなく、室内機２の形態は壁掛け型に限定されず、天井吊下げ型であってもよく、さらには天井埋め込み型であってもよい。
【００２２】
本実施の形態１においては、室内機２と送風機５とリモートコントローラ４とは、電波による無線通信で情報交換する構成とされているが、通信の構成はこれに限定されない。室内機２と送風機５とリモートコントローラ４とは、例えば赤外線通信による無線通信で情報交換する構成とされてもよく、また、有線通信で情報交換する構成とされてもよい。
【００２３】
また、本実施の形態１においては、空気調和システム１００において、室内機２が下階１１２に１台配置される構成とされているが、２台以上の複数台の室内機２が下階１１２に配置された構成であってもよい。空気調和システム１００における室内機２の台数については、特に制約を設けない。
【００２４】
室外機３は、基本的に一般的な空気調和機の室外機の機能を有し、室外の空気と冷媒回路中を流れる冷媒との熱交換を行うための室外熱交換器３１と、室外に風を送り出すファン３２と、冷媒回路において冷媒圧縮を行うコンプレッサ３３と、圧力および各種温度を測定するための各種センサ３４と、室内機２との情報送受信を実施するための室外機通信部３５と、を備えている。なお、本実施の形態１において室外機３は、一般的な空気調和機における室外機としての機能を備えていればよく、詳細な構成には特に制約はない。
【００２５】
また、本実施の形態１にかかる空気調和機１は、室内機２と室外機３とが互いに分離されたセパレート型の空気調和機であるが、室内機２と室外機３とが同一の筐体に納められた一体型の空気調和機ユニットとなって下階１１２に設置されてもよい。
【００２６】
リモートコントローラ４は、室内機２および送風機５に対して指示情報である操作コマンドの送信および空気調和システム１００の各構成要素からの情報の受信を行う情報送受信部としての機能と、空気調和システム１００の各構成要素に関する各種情報を表示する情報表示部としての機能を有する。リモートコントローラ４は、図示しない内蔵された内蔵電源により、動作するための電力が供給される。
【００２７】
リモートコントローラ４は、ユーザから操作を受け付けるためのリモートコントローラ操作部４１と、操作情報、空気調和システム１００の運転情報および空気調和システム１００の各構成要素から受信した情報といった各種情報の表示を行う表示部４２と、操作コマンドの送信および各構成要素からの情報の受信に使用されるリモートコントローラ通信部４３と、リモートコントローラ４の動作を制御するリモートコントローラ制御部４４と、を備えている。
【００２８】
また、リモートコントローラ制御部４４は、例えば、図３に示したハードウェア構成の処理回路として実現される。リモートコントローラ制御部４４が図３に示す処理回路により実現される場合、リモートコントローラ制御部４４は、例えば、図３に示すメモリ１０２に記憶されたプログラムをプロセッサ１０１が実行することにより、実現される。また、複数のプロセッサおよび複数のメモリが連携して上記機能を実現してもよい。また、リモートコントローラ制御部４４の機能のうちの一部を電子回路として実装し、他の部分をプロセッサ１０１およびメモリ１０２を用いて実現するようにしてもよい。
【００２９】
また、リモートコントローラ通信部４３を、同様にメモリ１０２に記憶されたプログラムをプロセッサ１０１が実行することにより、実現されるように構成してもよい。また、リモートコントローラ通信部４３を実現するためのプロセッサおよびメモリは、リモートコントローラ制御部４４を実現するプロセッサおよびメモリと同一であってもよいし、別のプロセッサおよびメモリであってもよい。
【００３０】
送風機５は、階間１１７に設置されており、下階１１２の室内の空気を吸い込んで風として上階１１１に送り出す機能、または上階１１１の空気を吸い込んで風として下階１１２に送り出す機能を有する。送風機５は、室内機２の内部の空気調和機制御部２７から室内機通信部２６を介して送信される指令情報に基づいて、送り出す風の風向の制御を行う。送風機５は、図示しない外部電源により、動作するための電力が供給される。
【００３１】
送風機５は、上階１１１または下階１１２の室内の空気を吸い込んで風として送り出すための送風ファン５１と、空気調和機制御部２７およびリモートコントローラ４との情報の送受信を行うための送風機通信部５２と、送風機５を制御するための送風機制御部５３と、を備えている。なお、送風機５の詳細な構成は、必要に応じて任意の機能要素が追加されていてもよい。
【００３２】
下階天面１１６には、送風機５のメンテナンスのための点検口８が設置されている。下階天面１１６に点検口８が設置されていることで、脚立または踏み台に上がって送風機５のメンテナンス作業を行うことができる。なお、点検口８は、上階床面１１５に設置されてもよい。
【００３３】
また、送風機制御部５３は、例えば、図３に示したハードウェア構成の処理回路として実現される。送風機制御部５３が図３に示す処理回路により実現される場合、送風機制御部５３は、例えば、図３に示すメモリ１０２に記憶されたプログラムをプロセッサ１０１が実行することにより、実現される。また、複数のプロセッサおよび複数のメモリが連携して上記機能を実現してもよい。また、送風機制御部５３の機能のうちの一部を電子回路として実装し、他の部分をプロセッサ１０１およびメモリ１０２を用いて実現するようにしてもよい。
【００３４】
また、送風機通信部５２を、同様にメモリ１０２に記憶されたプログラムをプロセッサ１０１が実行することにより、実現されるように構成してもよい。また、送風機通信部５２を実現するためのプロセッサおよびメモリは、送風機制御部５３を実現するプロセッサおよびメモリと同一であってもよいし、別のプロセッサおよびメモリであってもよい。
【００３５】
つぎに、本発明の実施の形態１にかかる空気調和システム１００の動作例について説明する。図４は、本発明の実施の形態１にかかる空気調和システム１００における空気調和機１と送風機５との連動運転の制御処理の流れを説明するフローチャートである。以下では、空気調和システム１００の運転モードとして、空気調和機１の暖房運転と送風機５の送風運転との連動運転を実施する連動運転モードが空気調和機１の空気調和機制御部２７に設定されている場合について説明する。
【００３６】
リモートコントローラ４のリモートコントローラ制御部４４は、リモートコントローラ操作部４１で受け付けられた、連動運転モードを指示する連動運転モード指示情報をリモートコントローラ操作部４１から受信した場合には、リモートコントローラ通信部４３を介して連動運転モード指示情報を空気調和機制御部２７に送信する。空気調和機制御部２７は、連動運転モード指示情報を受信すると、空気調和機制御部２７内に連動運転モードを設定し、連動運転モードでの制御を実施する。
【００３７】
なお、空気調和システム１００における空気調和機１と送風機５との連動運転において行われる空気調和は、一般的な空気調和機と同じ冷凍サイクルシステムによる暖房運転であり、具体的な動作説明は省略する。また、室内機２、送風機５、およびリモートコントローラ４の間における無線電波信号の送受信は、既定の通信方式を介して双方向通信可能となっているものとする。
【００３８】
まず、ステップＳ１０において、空気調和機１の空気調和機制御部２７が空気調和機１の暖房運転を開始する。
【００３９】
つぎに、ステップＳ２０において、空気調和機制御部２７は、室内温度センサ２４から下階１１２の室内温度を取得する。室内温度センサ２４は、空気調和機１の運転が開始されると既定の周期で下階１１２の室内温度を計測する。室内温度センサ２４は、計測した下階１１２の室内温度を既定の周期で空気調和機制御部２７に送信する。
【００４０】
つぎに、ステップＳ３０において、空気調和機制御部２７は、室内温度センサ２４から取得した下階１１２の室内温度と、空気調和機制御部２７に設定されている現在の暖房運転における設定温度とを比較して、下階１１２の室内温度が設定温度に達したか否かを判定する。
【００４１】
つぎに、下階１１２の室内温度が設定温度に達していない場合、すなわち、ステップＳ３０においてＮｏの場合は、ステップＳ４０において空気調和機制御部２７は、送風機５の現在の運転状態の情報を送風機制御部５３から取得して、送風機５が運転中であるか否かを判定する。
【００４２】
送風機５が運転中である場合、すなわち、ステップＳ４０においてＹｅｓの場合は、ステップＳ５０において空気調和機制御部２７は、送風機５の運転時間の情報を送風機５の送風機制御部５３から取得して、送風機５の運転開始から既定の時間が経過したか否かを判定する。送風機５の送風機制御部５３は、送風機５が運転を開始してからの運転時間の情報を計測しており、空気調和機制御部２７からの要求に対応して送風機５の運転時間の情報を空気調和機制御部２７に送信する。
【００４３】
送風機５の運転開始から既定の時間が経過した場合、すなわち、ステップＳ５０においてＹｅｓの場合は、ステップＳ６０において空気調和機制御部２７は、送風機５の運転を停止させる制御を行う。すなわち、空気調和機制御部２７は、送風機５の電源をオフにして停止するように、送風機５の停止を指示する停止指令信号を、室内機通信部２６を介して送風機５に送信する。送風機５の送風機制御部５３は、送風機通信部５２を介して停止指令信号を受信すると、停止指令信号に従って送風機５の電源をオフにして送風機５を停止させる。ここで、ステップＳ５０およびステップＳ６０においては、送風機５が短時間にオン動作およびオフ動作を繰り返すチャタリングを起こさないように、送風機５の運転開始から既定の時間が経過した後に送風機５を停止させるようにする。既定の時間の一例は３０分である。既定の時間は、あらかじめ空気調和機制御部２７に記憶されている。
【００４４】
なお、送風機５の運転開始から既定の時間が経過した後に送風機５を停止させる代わりに、空気調和機制御部２７が下階１１２の室内温度を取得し、下階１１２の室内温度が送風機５を停止させる既定の閾値温度範囲になった場合に送風機５を止める用にしてもよい。
【００４５】
つぎに、ステップＳ７０において空気調和機制御部２７は、空気調和機１を停止させるか否かを判定する。空気調和機制御部２７は、空気調和機１を停止させる指示情報をリモートコントローラ４から、受信している場合には、空気調和機１を停止させると判定する。空気調和機制御部２７は、空気調和機１を停止させる指示情報をリモートコントローラ４から、受信していない場合には、空気調和機１を停止させないと判定する。
【００４６】
空気調和機１を停止させると判定された場合、すなわち、ステップＳ７０においてＹｅｓの場合は、ステップＳ８０において空気調和機制御部２７は、空気調和機１を停止させる制御を行い、空気調和システム１００における空気調和機１と送風機５との連動運転の一連の処理が終了する。
【００４７】
一方、ステップＳ３０において、下階１１２の室内温度が設定温度に達している場合、すなわち、ステップＳ３０においてＹｅｓの場合は、ステップＳ９０において空気調和機制御部２７は、送風機５の現在の運転状態の情報を送風機制御部５３から取得して、送風機５が運転中であるか否かを判定する。
【００４８】
送風機５が運転中でない場合、すなわち、ステップＳ９０においてＮｏの場合は、ステップＳ１００において空気調和機制御部２７は、送風機５の運転を開始させて空気調和機１の暖房運転と送風機５の送風運転との連動運転を開始させる制御を行う。すなわち、空気調和機制御部２７は、送風機５の電源をオンにして起動するように、送風機５の起動を指示する起動指令信号を、室内機通信部２６を介して送風機５に送信する。送風機５の送風機制御部５３は、送風機通信部５２を介して起動指令信号を受信すると、起動指令信号に従って送風機５の電源をオンにして送風機５を起動させる。これにより送風機５は、送風方向を上階１１１から下階１１２に向かう方向の風向とした空気流を発生させる送風運転を開始する。送風機５は、運転中でない場合には、電源がオフであり、送風機５の外部から信号を受信して動作を開始できる待機状態にあるものとする。
【００４９】
なお、送風機５は、送風機５の起動を指示する起動指令信号または送風機５の停止を指示する停止指令信号を、室内機２の空気調和機制御部２７またはリモートコントローラ４のリモートコントローラ制御部４４から受信することにより、起動または停止の切換が可能である。
【００５０】
送風機５が送風運転を開始すると、送風機５が発生させる空気流によって上階１１１の空気が上階床面給排気口９から第１ダクト６の内部に吸い込まれる。第１ダクト６の内部に吸い込まれた上階１１１の空気は、送風機５および第２ダクト７を通って下階天面給排気口１０から室内機２の下階天面１１６側に設けられた空気調和機吸込口２８に向けて送風される。
【００５１】
室内機２は、下階天面給排気口１０から送風された上階１１１の空気および下階１１２の室内の空気を吸い込んで、空気調和された調和空気である温風、すなわち暖められた空気を空気調和機吹出口２９から吹き出す。これにより、暖められた空気が下階１１２の室内に送風される。そして、空気調和機吹出口２９から吹き出された暖められた空気は、上下階に連通する連通空間である階段１１３の通路および吹き抜け１１４を通って、上階１１１に向かって上昇し、上階１１１へ流れ込む。階段１１３の通路は、階段１１３の上部空間である。
【００５２】
このとき、上階１１１に向かって上昇した暖められた空気は、連通空間および上階１１１の室内において放熱し、連通空間および上階１１１の室内の温度を上昇させる。すなわち、上階１１１に向かって上昇した暖められた空気は、連通空間および上階１１１の室内を暖める空気調和を行う。そして、上階１１１に上昇した空気は、上階１１１の室内空間を暖めた後に、送風機５が発生させる空気流によって上階１１１の上階床面給排気口９から第１ダクト６の内部に吸い込まれる。
【００５３】
このような空気の循環が繰り返されることにより、暖められた空気が下階１１２から上階１１１に向かう空気の流れが発生し、上階１１１と下階１１２との室内の温度差が緩和される。すなわち、空気調和システム１００は、上下階を連通する連通空間が設けられた構造の建物において上下階の階間１１７に送風機５を設置することで、空気調和機１による下階１１２の暖房運転時に、暖房がされていない上階１１１の空気を下階１１２の空間に対して吹き出す。そして、空気調和機１で空気調和された暖かい空気が、上下階を連通する連通空間を通じて上階１１１に流れる。
【００５４】
また、ステップＳ４０においてＮｏの場合、ステップＳ５０においてＮｏの場合、ステップＳ７０においてＮｏの場合、およびステップＳ９０においてＹｅｓの場合は、空気調和機制御部２７は、ステップＳ２０に戻る。
【００５５】
また、空気調和システム１００は、空気調和機１の冷房運転と送風機５の送風運転との連動運転を実施することも可能である。空気調和システム１００の運転モードとして、空気調和機１の冷房運転と送風機５の送風運転との連動運転を実施する連動運転モードが空気調和機１の空気調和機制御部２７に設定されている場合は、空気調和機１が冷房運転を実施すること以外は、上述したステップＳ１０からステップＳ１００のステップが実施される。
【００５６】
この場合は、ステップＳ１００において送風機５が送風運転を開始すると、送風機５が発生させる空気流によって上階１１１の空気が上階床面給排気口９から第１ダクト６の内部に吸い込まれる。第１ダクト６の内部に吸い込まれた上階１１１の空気は、送風機５および第２ダクト７を通って下階天面給排気口１０から室内機２の下階天面１１６側に設けられた空気調和機吸込口２８に向けて送風される。
【００５７】
室内機２は、下階天面給排気口１０から送風された上階１１１の空気および下階１１２の室内の空気を吸い込んで、空気調和された調和空気である冷風、すなわち冷やされた空気を空気調和機吹出口２９から吹き出す。これにより、冷やされた空気が下階１１２の室内に送風される。そして、空気調和機吹出口２９から吹き出された冷やされた空気は、空気調和機吹出口２９から吹き出された際の風力によって上下階に連通する連通空間である階段１１３の通路および吹き抜け１１４を通って、上階１１１に向かって徐々に上昇し、上階１１１へ流れ込む。階段１１３の通路は、階段１１３の上部空間である。
【００５８】
暖かい空気は上部に溜まり易い性質を有する。このため、空気調和機吹出口２９から吹き出された調和空気が温風である場合には、調和空気はこの性質により上階１１１に向かって上昇する。一方、空気調和機吹出口２９から吹き出された調和空気が冷風である場合には、空気調和機吹出口２９から吹き出された冷やされた空気は、空気調和機吹出口２９から吹き出された際の風力によって、少しずつ、徐々に上階１１１に向かって押し出される。すなわち、下階１１２に送られてきた空気に押し出される形で下階１１２から上階１１１に向けて冷たい空気を送ることで、上階１１１の快適性を向上させることができる。
【００５９】
このとき、上階１１１に向かって上昇した冷やされた空気は、連通空間および上階１１１の室内において吸熱し、連通空間および上階１１１の室内の温度を低下させる。すなわち、上階１１１に向かって上昇した冷やされた空気は、連通空間および上階１１１の室内を冷やす空気調和を行う。そして、上階１１１に上昇した空気は、上階１１１の室内空間を冷やした後に、送風機５が発生させる空気流によって上階１１１の上階床面給排気口９から第１ダクト６の内部に吸い込まれる。
【００６０】
このような空気の循環が繰り返されることにより、冷やされた空気が下階１１２から上階１１１に向かう空気の流れが発生し、上階１１１と下階１１２との室内の温度差が緩和される。すなわち、空気調和システム１００は、上下階を連通する連通空間が設けられた構造の建物において上下階の階間１１７に送風機５を設置することで、空気調和機１による下階１１２の冷房運転時に、冷房がされていない上階１１１の空気を下階１１２の空間に対して吹き出す。そして、空気調和機１で空気調和された冷たい空気が、上下階を連通する連通空間を通じて上階１１１に流れる。
【００６１】
このように空気調和システム１００は、上階１１１と下階１１２とで空気を循環させて上階１１１と下階１１２とを空気調和することで、上階１１１と下階１１２とにおける室内温度の温度差を抑制することができる。これにより、空気調和システム１００は、空気調和機１の暖房時には、上階１１１と下階１１２との室内の温度差に起因したコールドドラフトの発生およびヒートショックの発生を抑制することができ、建物内における快適性が向上する。
【００６２】
また、夏期においては、日射により上階である上階１１１および天井裏の部屋および空間が暖められてしまい、不快になる。たとえば、ゼロエネルギーハウス（Ｚｅｒｏ  Ｅｎｅｒｇｙ  Ｈｏｕｓｅ：ＺＥＨ）など高気密および高断熱の住宅ではなかなか熱気が抜けず室内が暑い状態が続く。空気調和システム１００は、空気調和機１の冷房時には、送風機５を連動運転することにより上階１１１の暖かい空気を下階１１２に送ることで空気調和機１の冷房運転を促進する。そして、送風機５により上階１１１から下階１１２に送られた暖かい空気が空気調和機１によって冷やされて下階１１２から上階１１１に流れることで建物内の全体を冷房することができ、建物内における快適性が向上する。
【００６３】
また、空気調和システム１００は、空気調和機１の暖房運転のみで下階１１２の室温を上げるために空気調和機１の運転強度を強くする必要がないため、空気調和機１の空気調和負荷が増加することがなく、空気調和機１の空調効率が向上する。
【００６４】
また、空気調和システム１００は、上階１１１の空気を下階天面給排気口１０から、室内機２の空気調和機吸込口２８に向けて送風することで、すなわち在室者のいない空間に向けて送風することで、相対的に下階１１２の空気よりも温度の低い上階１１１の空気を下階１１２の在室者に当てることなく、建物内を空気調和できるため、建物内における暖房時の快適性が向上する。
【００６５】
また、空気調和システム１００は、上階１１１の空気を下階天面給排気口１０から、室内機２の空気調和機吸込口２８に向けて送風することで、すなわち在室者のいない空間に向けて送風することで、相対的に下階１１２の空気よりも温度の高い上階１１１の空気を下階１１２の在室者に当てることなく、建物内を空気調和できるため、建物内における冷房時の快適性が向上する。
【００６６】
また、空気調和システム１００は、階間１１７に空気調和機ではなく送風機５を設置することで、空気調和機で冷暖房を行うための冷凍サイクルシステムに必要な種々の構造を階間１１７に配置する必要がない。これにより、空気調和システム１００では、階間１１７内に空気調和システム１００を設置するために必要なスペースを削減することができ、空気調和機１の種類および空気調和機１の設置場所である建物の構造の制約を緩和できる。
【００６７】
また、空気調和システム１００は、連動運転モードの設定および解除を、リモートコントローラ４から任意のタイミングで行うことができる。これにより、暖房時に、上階１１１の室内を暖める必要がなく下階１１２の室内のみを暖める場合は、連動運転モードを解除する制御操作をリモートコントローラ４から行うことで連動運転モードを解除して送風機５の運転を停止させて、空気調和機１のみを運転すればよい。同様に、冷房時に、上階１１１の室内を冷やす必要がなく下階１１２の室内のみを冷やす場合は、連動運転モードを解除する制御操作をリモートコントローラ４から行うことで連動運転モードを解除して送風機５の運転を停止させて、空気調和機１のみを運転すればよい。
【００６８】
また、上記のステップＳ２０およびステップＳ３０の制御を行わずに、下階１１２の室内温度にかかわらず強制的に送風機５を運転させることも可能である。このため、送風機５の運転を制御して上階１１１と下階１１２との間での上下階の通風を制御することで、下階１１２と上階１１１との空気調和または下階１１２のみの空気調和を選択して制御でき、状況に応じて上下階の空気調和を制御できるため、建物内における空調効率が向上する。
【００６９】
したがって、本実施の形態１にかかる空気調和システム１００は、上下階である上階１１１と下階１１２とを連通する連通空間が設けられた構造の建物において室内機２が下階１１２に設置された１つの空気調和機１と送風機５とを用いることで、建物内の快適性および空調効率を向上させつつ、上階１１１と下階１１２との温度差を緩和することができる。
【００７０】
また、本実施の形態１においては、空気調和システム１００の中に送風機５が１つだけ配置された構成とされているが、空気調和システム１００は複数台の送風機５が階間１１７に配置された構成であってもよい。空気調和システム１００における送風機５の台数は、特に制約されない。
【００７１】
また、送風機５の運転を開始させて空気調和機１の冷暖房運転と送風機５の送風運転との連動運転を実施させる制御を行う専用の制御部と、空気調和機１の制御を行う制御部とが個別に設けられてもよい。すなわち、本実施の形態１においては、連動運転制御部としての機能を空気調和機制御部２７に持たせているが、連動運転制御部としての機能を、空気調和機１の運転を制御する空気調和機１の制御部から独立した連動運転制御部として設けてもよい。この場合、連動運転制御部の配置場所は、連動運転制御部としての機能を発揮可能であれば、特に限定されない。連動運転制御部は、送風機に設けられてもよく、また建物内の任意の場所に配置されてもよい。また、連動運転制御部が空気調和機１の制御部から独立して設けられる場合、連動運転制御部は、例えば、図３に示したハードウェア構成の処理回路として実現される。
【００７２】
下階１１２の室内温度を計測する温度計測部が、空気調和機１の室内温度センサ２４とは別個に下階１１２の室内に設けられてもよい。
【００７３】
図５は、本発明の実施の形態１にかかる空気調和システム１００において送風機５と上階床面給排気口９とが一体化された構成を示す模式断面図である。図５中の白抜き矢印は、冬季の暖房運転時の空気の流れを示している。空気調和システム１００においては、図５に示すように送風機５と上階床面給排気口９とが一体化された構成とされてもよい。すなわち、送風機５における上階床面１１５側の吸排気口５ａが上階床面給排気口９に直接接続された構成とされてもよい。
【００７４】
送風機５と上階床面給排気口９とが一体化されることで、第１ダクト６および点検口８が不要となるため、空気調和システム１００の構成部品を減らすことができ、空気調和システム１００のメンテナンス性が向上する。このような構成として、たとえば天井埋込形のダクト用換気扇からなる送風機５と上階床面給排気口９とが一体化された構成が例示される。なお、ここでは、冬季の暖房運転時を例に示したが、夏季の冷房運転時においても上記の効果が得られる。
【００７５】
図６は、本発明の実施の形態１にかかる空気調和システム１００において送風機５と下階天面給排気口１０とが一体化された構成を示す模式断面図である。図６中の白抜き矢印は、冬季の暖房運転時の空気の流れを示している。空気調和システム１００においては、図６に示すように送風機５と下階天面給排気口１０とが一体化された構成とされてもよい。すなわち、送風機５における下階天面１１６側の吸排気口５ｂが下階天面給排気口１０に直接接続されて、第２ダクト７を省いた構成とされてもよい。
【００７６】
送風機５と下階天面給排気口１０とが一体化されることで、第２ダクト７および点検口８が不要となるため、空気調和システム１００の構成部品を減らすことができ、空気調和システム１００のメンテナンス性が向上する。このような構成として、たとえば天井埋込形のダクト用換気扇からなる送風機５と下階天面給排気口１０とが一体化された構成が例示される。なお、ここでは、冬季の暖房運転時を例に示したが、夏季の冷房運転時においても上記の効果が得られる。
【００７７】
上述したように、本実施の形態１にかかる空気調和システム１００は、上階１１１と下階１１２とを連通する連通空間が設けられた建物において、下階１１２に室内機２が配置された空気調和機１と階間１１７に配置された送風機５とを備える。そして、空気調和システム１００は、下階１１２における冷暖房の空気調和時において、空気調和されていない上階１１１の室内の空気の下階１１２への送風を制御可能であるため、下階１１２と上階１１１との空気調和または下階１１２のみの空気調和を選択して制御でき、状況に応じて上下階の空気調和を制御できるため、上下階の温度差を緩和可能であるとともに建物内の快適性および空調効率が向上する。
【００７８】
実施の形態２．
図７は、本発明の実施の形態２にかかる空気調和システム２００が住宅の建物に設置された状態を示す模式断面図である。図７中の白抜き矢印は、冬季の暖房運転時の空気の流れを示している。本実施の形態２にかかる空気調和システム２００は、実施の形態１にかかる空気調和システム１００の変形例である。本実施の形態２にかかる空気調和システム２００は、下階天面給排気口１０から下階１１２に送風される上階１１１の空気の風向を調節する風向調節部１１が下階天面給排気口１０に設けられている。また、空気調和システム２００では、第１ダクト６および第２ダクト７の長さが空気調和システム１００と比べて短くされており、下階天面給排気口１０の位置が上階床面給排気口９に近くなっている。空気調和システム２００におけるその他の構成は、基本的に空気調和システム１００と同じである。したがって、図７では、空気調和システム２００における空気調和システム１００と同じ構成については、空気調和システム１００と同じ符号を付している。
【００７９】
空気調和システム２００は、空気調和システム１００と同じ効果を有する。
【００８０】
また、空気調和システム２００は、下階天面給排気口１０に風向調節部１１が設けられていることにより、下階天面給排気口１０から下階１１２に送風される上階１１１の空気の風向が調節可能とされている。風向調節部１１を調節することにより、下階天面給排気口１０から下階１１２に送風される上階１１１の空気を、室内機２の空気調和機吹出口２９に向けて吹き出して、空気調和機吹出口２９から吹き出される空気調和された暖かい空気と衝突させることができる。これにより、下階天面給排気口１０から吹き出される上階１１１の空気を在室者のいない空間に向けて送風することができ、相対的に下階１１２の空気よりも温度の低い上階１１１の空気を在室者に当てることなく建物内を空気調和できるため、建物内における暖房時の快適性が向上する。
【００８１】
また、空気調和システム２００は、下階天面給排気口１０から下階１１２に送風される上階１１１の空気を室内機２の空気調和機吹出口２９に向けて吹き出すことで、下階１１２の室内の上部に溜まりやすい暖かい空気を拡散することができ、建物内における暖房時の快適性および空調効率が向上する。
【００８２】
また、空気調和機１の冷房時には、風向調節部１１を調節することにより、下階天面給排気口１０から下階１１２に送風される上階１１１の空気を、室内機２の空気調和機吹出口２９に向けて吹き出して、空気調和機吹出口２９から吹き出される空気調和された冷たい空気と衝突させることができる。これにより、下階天面給排気口１０から吹き出される上階１１１の空気を在室者のいない空間に向けて送風することができ、相対的に下階１１２の空気よりも温度の高い上階１１１の空気を在室者に当てることなく建物内を空気調和できるため、建物内における冷房時の快適性が向上する。
【００８３】
また、空気調和システム２００は、風向調節部１１を備えることで、下階天面給排気口１０から下階１１２に送風される上階１１１の空気の風向が調節可能とされているため、下階天面１１６における下階天面給排気口１０の配置位置の自由度が大きくなる。
【００８４】
なお、風向調節部１１を調節することにより、下階天面給排気口１０から下階１１２に送風される上階１１１の空気を、室内機２の空気調和機吸込口２８に向けて吹き出してもよい。
【００８５】
実施の形態３．
図８は、本発明の実施の形態３にかかる空気調和システム３００が住宅の建物に設置された状態を示す模式断面図である。図８中の白抜き矢印は、冬季の暖房運転時の空気の流れを示している。図８中の黒塗り矢印は、電気機器からの放熱を示している。本実施の形態３にかかる空気調和システム３００は、実施の形態１にかかる空気調和システム１００の変形例である。本実施の形態３にかかる空気調和システム３００は、下階天面給排気口１０から下階１１２に送風される上階１１１の空気を下階１１２に設置された電気機器であるテレビ６１に向けて吹き出す構成とされている。空気調和システム３００におけるその他の構成は、基本的に空気調和システム１００と同じである。したがって、図８では、空気調和システム３００における空気調和システム１００と同じ構成については、空気調和システム１００と同じ符号を付している。
【００８６】
空気調和システム３００は、空気調和システム１００と同じ効果を有する。
【００８７】
また、テレビ６１は、下階１１２の壁面または台の上に設置され、動作時および待機時には内部での発熱により、内部、上面の一部および背面の一部といった部分が放熱のために温度が高くなる。したがって、テレビ６１に向けて下階天面給排気口１０から上階１１１の空気を送風することにより、すなわち在室者のいない空間に向けて送風することで、相対的に下階１１２の空気よりも温度の低い上階１１１の空気を下階１１２の在室者に当てることなく、テレビ６１の放熱を促進してテレビ６１を冷却することができる。
【００８８】
なお、上記においては上階１１１の空気をテレビ６１に向けて送風する場合について示したが、テレビ６１以外にも冷蔵庫６２などの発熱量が多く筐体の外部への放熱量が多い電気機器に向けて上階１１１の空気を送風することで、上記と同様の効果が得られる。
【００８９】
なお、ここでは、冬季の暖房運転時を例に示したが、夏季の冷房運転時においても上記の効果が得られる。この場合、相対的に下階１１２の空気よりも温度の高い上階１１１の空気が電気機器に向けて送風されるが、一般的に上階１１１の空気の温度の方が電子機器の放熱部の温度よりも低いため、テレビ６１の放熱を促進してテレビ６１を冷却することができる。また、電子機器の放熱部から放熱される熱が下階１１２に拡散することで、空気調和機１の冷房運転を促進することができる。電子機器の放熱部から放熱される熱が拡散した下階１１２の空気が空気調和機１によって冷やされて下階１１２から上階１１１に流れることで建物内の全体を冷房することができ、建物内における快適性が向上する。
【００９０】
実施の形態４．
図９は、本発明の実施の形態４にかかる空気調和システム４００が住宅の建物に設置された状態を示す模式断面図である。図１０は、本発明の実施の形態４にかかる空気調和システム４００の構成を示す図である。本実施の形態４にかかる空気調和システム４００は、建物内の設備機器を一括制御および監視できる設備機器管理システムであるホームエネルギーマネジメントシステム（Ｈｏｍｅ  Ｅｎｅｒｇｙ  Ｍａｎａｇｅｍｅｎｔ  Ｓｙｓｔｅｍ：ＨＥＭＳ）である。空気調和システム４００は、操作端末７０と、ホームエネルギーマネジメントシステムコントローラ８０と、各種の宅内設備機器と、を有している。以下、ホームエネルギーマネジメントシステムコントローラ８０を、ＨＥＭＳコントローラ８０と呼ぶ。
【００９１】
宅内設備機器は、ＨＥＭＳにおいてＨＥＭＳコントローラ８０によって制御される、建物内に配置された各種電子機器であり、ここでは、空気調和機１ａと、温度検知部９１と、送風機５と、照明器具９２と、が例示される。なお、宅内設備機器はこれらに限定されず、他の各種の電子機器がＨＥＭＳコントローラ８０に接続されてもよい。
【００９２】
空気調和機１ａは、上述した空気調和機１ａと送風機５との連動運転の制御を行わないこと以外は、上述した空気調和機１と同じ構成および機能を有する。
【００９３】
操作端末７０は、たとえば携帯電話またはタブレットなどの携帯機器である。操作端末７０は、宅内設備機器の運転、停止または風量の調整などの操作を行うための指示情報が入力され、指示情報をＨＥＭＳコントローラ８０に送信する機能を有する。操作端末７０は、ユーザが宅内設備機器の運転、停止または風量の調整などの操作を行うための指示情報を入力する端末操作部７１と、宅内設備機器の運転状況または操作端末７０に入力された情報といった宅内設備機器の制御または監視に必要な各種情報を表示する表示部７２とを有する。また、操作端末７０は、ＨＥＭＳコントローラ８０との間で、建物内の複数の宅内設備機器の制御または監視に必要な各種情報の通信を、宅内無線ライン９３または公共無線ライン９４を介して行う端末通信部７３と、操作端末７０全体の動作を制御する端末制御部７４とを有する。端末操作部７１と表示部７２と端末通信部７３と端末制御部７４とは、互いに通信可能に接続されている。
【００９４】
また、端末制御部７４は、例えば、図３に示したハードウェア構成の処理回路として実現される。端末制御部７４が図３に示す処理回路により実現される場合、端末制御部７４は、例えば、図３に示すメモリ１０２に記憶されたプログラムをプロセッサ１０１が実行することにより、実現される。また、複数のプロセッサおよび複数のメモリが連携して上記機能を実現してもよい。また、端末制御部７４の機能のうちの一部を電子回路として実装し、他の部分をプロセッサ１０１およびメモリ１０２を用いて実現するようにしてもよい。
【００９５】
また、端末通信部７３を、同様にメモリ１０２に記憶されたプログラムをプロセッサ１０１が実行することにより、実現されるように構成してもよい。また、端末通信部７３を実現するためのプロセッサおよびメモリは、端末制御部７４を実現するプロセッサおよびメモリと同一であってもよいし、別のプロセッサおよびメモリであってもよい。
【００９６】
操作端末７０とＨＥＭＳコントローラ８０との間は、宅内設備機器の制御または監視に必要な各種情報の通信を行うための建物内無線通信回線である、宅内無線ライン９３および公衆無線通信回線である公共無線ライン９４によって、双方向に通信可能に接続されている。
【００９７】
ＨＥＭＳコントローラ８０と宅内設備機器との間は、宅内設備機器の制御または監視に必要な各種情報の通信を行うための建物内通信回線である宅内通信ライン９５によって、双方向に通信可能に接続されている。宅内通信ライン９５は、有線方式の通信回線であってもよく、また無線方式の通信回線であってもよい。
【００９８】
ＨＥＭＳコントローラ８０は、操作端末７０および宅内設備機器と双方向の通信を行うホームエネルギーマネジメントシステム通信部８１と、空気調和システム４００の全体の動作の制御を行うホームエネルギーマネジメントシステム制御部８２と、を有する。以下、ホームエネルギーマネジメントシステム通信部８１を、ＨＥＭＳ通信部８１と呼ぶ。また、ホームエネルギーマネジメントシステム制御部８２を、ＨＥＭＳ制御部８２と呼ぶ。
【００９９】
ＨＥＭＳ制御部８２は、操作端末７０から送信された操作信号によって宅内設備機器の運転指示情報を取得し、宅内設備機器に対して制御指令を出し、宅内設備機器を一括制御および監視する。ＨＥＭＳ制御部８２は、たとえば空気調和機１ａに対しては、運転指示、停止指示、運転モードの変更、設定温度の変更、風量の変更、風向の変更といった、一般的にリモートコントローラで操作可能な指令を送ることができる。運転モードには、冷房、暖房、送風、除湿といったモードが含まれる。
【０１００】
ＨＥＭＳ制御部８２は、空気調和機１ａおよび送風機５から現在の運転状態などの各種情報を受信し、温度検知部９１から現在の下階１１２の室内温度の情報を取得し、取得した情報に基づいて送風機５へ運転指示を送信する。なお、ＨＥＭＳ制御部８２は、その他の宅内設備機器からも各種情報を取得して、適切な運転指示を送信することが可能である。
【０１０１】
そして、ＨＥＭＳ制御部８２は、空気調和システム４００全体の動作の制御の一部として、空気調和機１ａと送風機５との連動運転を制御する。すなわち、ＨＥＭＳ制御部８２は、空気調和機１ａの動作の制御の他にも、空気調和機１ａの暖房運転に連動させて送風機５を運転させる連動運転を制御可能である。すなわち、ＨＥＭＳ制御部８２は、空気調和機１ａの冷暖房運転時に、空気調和機１ａの冷暖房運転に連動させて送風機５を運転させる空気調和機１ａと送風機５との連動運転を制御する連動運転制御部としての機能を有する。
【０１０２】
また、ＨＥＭＳ制御部８２は、例えば、図３に示したハードウェア構成の処理回路として実現される。ＨＥＭＳ制御部８２が図３に示す処理回路により実現される場合、ＨＥＭＳ制御部８２は、例えば、図３に示すメモリ１０２に記憶されたプログラムをプロセッサ１０１が実行することにより、実現される。また、複数のプロセッサおよび複数のメモリが連携して上記機能を実現してもよい。また、ＨＥＭＳ制御部８２の機能のうちの一部を電子回路として実装し、他の部分をプロセッサ１０１およびメモリ１０２を用いて実現するようにしてもよい。
【０１０３】
また、ＨＥＭＳ通信部８１を、同様にメモリ１０２に記憶されたプログラムをプロセッサ１０１が実行することにより、実現されるように構成してもよい。また、ＨＥＭＳ通信部８１を実現するためのプロセッサおよびメモリは、ＨＥＭＳ通信部８１を実現するプロセッサおよびメモリと同一であってもよいし、別のプロセッサおよびメモリであってもよい。
【０１０４】
また、ＨＥＭＳコントローラ８０は、指示情報を入力する入力部と、各種情報を表示する表示部とを有してもよい。
【０１０５】
つぎに、本発明の実施の形態４にかかる空気調和システム４００の動作例について説明する。図１１は、本発明の実施の形態４にかかる空気調和システム４００における空気調和機１ａと送風機５との連動運転の制御処理の流れを説明するフローチャートである。以下では、空気調和システム４００の運転モードとして、空気調和機１ａの暖房運転と送風機５の送風運転との連動運転を実施する連動運転モードがＨＥＭＳコントローラ８０のＨＥＭＳ制御部８２に設定されている場合について説明する。
【０１０６】
まず、ステップＳ２１０において、ＨＥＭＳコントローラ８０がＨＥＭＳ制御、すなわち宅内設備機器の一括制御を開始する。
【０１０７】
つぎに、ステップＳ２２０において、空気調和機１の空気調和機制御部２７が空気調和機１の暖房運転を開始させる。
【０１０８】
つぎに、ステップＳ２３０において、ＨＥＭＳコントローラ８０のＨＥＭＳ制御部８２は、空気調和機１ａから現在の運転状態の情報を取得して、空気調和機１ａが冷暖房運転中であるか否かを判定する。
【０１０９】
空気調和機１ａが冷暖房運転中でない場合、すなわちステップＳ２３０においてＮｏの場合は、ステップＳ２４０においてＨＥＭＳ制御部８２は、宅内設備機器の一括制御を停止する。
【０１１０】
一方、ステップＳ２３０において、空気調和機１ａが冷暖房運転中である場合、すなわちステップＳ２３０においてＹｅｓの場合は、ステップＳ２５０からステップＳ３３０が行われる。ステップＳ２５０からステップＳ３３０では、上述した図４のフローチャートのステップＳ２５０からステップＳ３３０において空気調和機制御部２７がＨＥＭＳ制御部８２に置き換えられた処理が行われる。
【０１１１】
上述した制御を行うことで、空気調和システム４００は、空気調和システム１００と同様に上階１１１と下階１１２とで空気を循環させて上階１１１と下階１１２とを空気調和して、上階１１１と下階１１２とにおける室内温度の温度差を抑制することができる。したがって、空気調和システム４００では、空気調和機１ａと送風機５とをＨＥＭＳコントローラ８０によって連動運転させることで、空気調和システム１００と同様の効果が得られる。
【０１１２】
以上の実施の形態に示した構成は、本発明の内容の一例を示すものであり、上述した実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【０１１３】
１，１ａ  空気調和機、２  室内機、３  室外機、４  リモートコントローラ、５  送風機、５ａ，５ｂ  吸排気口、６  第１ダクト、７  第２ダクト、８  点検口、９  上階床面給排気口、１０  下階天面給排気口、１１  風向調節部、２１  室内熱交換器、２２，５１  送風ファン、２３  風向調整部、２４  室内温度センサ、２５，４２，７２  表示部、２６  室内機通信部、２７  空気調和機制御部、２８  空気調和機吸込口、２９  空気調和機吹出口、３１  室外熱交換器、３２  ファン、３３  コンプレッサ、３４  各種センサ、３５  室外機通信部、４１  リモートコントローラ操作部、４３  リモートコントローラ通信部、４４  リモートコントローラ制御部、５２  送風機通信部、５３  送風機制御部、６１  テレビ、６２  冷蔵庫、７０  操作端末、７１  端末操作部、７３  端末通信部、７４  端末制御部、８０  ホームエネルギーマネジメントシステムコントローラ、８１  ホームエネルギーマネジメントシステム通信部、８２  ホームエネルギーマネジメントシステム制御部、９１  温度検知部、９２  照明器具、９３  宅内無線ライン、９４  公共無線ライン、９５  宅内通信ライン、１００，２００，３００，４００  空気調和システム、１０１  プロセッサ、１０２  メモリ、１１１  上階、１１２  下階、１１３  階段、１１４  吹き抜け、１１５  上階床面、１１６  下階天面、１１７  階間、１１８  下階壁面、１１９  下階床面。
【図１】
2019158163.tif 000003
【図２】
2019158163.tif 000004
【図３】
2019158163.tif 000005
【図４】
2019158163.tif 000006
【図５】
2019158163.tif 000007
【図６】
2019158163.tif 000008
【図７】
2019158163.tif 000009
【図８】
2019158163.tif 000010
【図９】
2019158163.tif 000011
【図１０】
2019158163.tif 000012
【図１１】
2019158163.tif 000013